(57)【要約】      （修正有）【課題】食物が喉に詰まるのを防ぐことを目的として、咳によって吐き出す息の量を知るために、当該息の量を測定する装置を提供する。【解決手段】この装置は、後端部で口の周囲を覆い、前端部に息が通過する開口部１１と、下部に孔部１２を有するマスク体１０を備える。また、マスク体１０の開口部１１に連通され、前方水平方向に延びる筒体２０を備える。さらに、筒体２０の前端部に連結されて上方垂直方向に延び、表面に測定数値を表示した測定筒３１内に垂直棒３２を固定し、この垂直棒３２に、息の力によって上昇移動自在な浮片３３を嵌装し、この浮片３３より上位に昇降動自在に、浮片３３の上昇移動に押されて上昇し、その上昇位置に留まる検知片３４を設けた測定部材３０を備える。また、マスク体１０の内部に、孔部１２を通して咳を発生させるための咳発生剤４１を注入する発生機４０を備える。【選択図】図１
0003158906.tif 000002
【実用新案登録請求の範囲】
【請求項１】
咳によって口から排出される息の量を測定する装置であって、後端部で少なくとも口の周囲を密閉状に覆い，前端部に前記息が通過する開口部（１１）を有すると共に，下部に孔部（１２）を有するマスク体（１０）と、前記マスク体の開口部に連通され，前方水平方向に延びる筒体（２０）と、前記筒体の前端部に連結され，上方垂直方向に延び，表面に測定数値（３１ａ）を表示した測定筒（３１）の内部に垂直棒（３２）を固定し，該垂直棒に，前記息の力によって上昇移動自在な浮片（３３）を嵌装し，前記測定筒の内部の前記浮片より上位に昇降動自在に，前記浮片の上昇移動に押されて上昇し，前記測定筒との摩擦抵抗によってその上昇位置に留まると共に，前端部である摘み部（３４ａ）が前記測定筒から露出する検知片（３４）を設けた測定部材（３０）と、前記マスク体の内部に，前記孔部を通して咳を発生させるための咳発生剤（４１）を注入する発生機（４０）と、を備えることを特徴とする咳の息量測定装置。
【請求項２】
咳によって口から排出される息の量を測定する装置であって、後端部で少なくとも口の周囲を密閉状に覆い，前端部に前記息が通過する開口部（１１）を有すると共に，下部に孔部（１２）を有するマスク体（１０）と、前記マスク体の開口部に連通され，前方水平方向に延びる筒体（２０）と、前記筒体の前端部に連結され，上方垂直方向に延び，表面に測定数値（３１ａ）を表示した測定筒（３１）の内部に垂直棒（３２）を固定し，該垂直棒に，前記息の力によって上昇移動自在な浮片（３３）を嵌装し，前記測定筒の内部の前記浮片より上位に昇降動自在に，前記浮片の上昇移動に押されて上昇し，前記測定筒との摩擦抵抗によってその上昇位置に留まると共に，前端部である摘み部（３４ａ）が前記測定筒から露出する検知片（３４）を設けた測定部材（３０）と、前記マスク体の内部に，前記孔部（１２）を通して咳を発生させるための咳発生剤（４１）を注入する発生機（４０）と、前記測定筒の下端部に固定され，前記浮片の下限位置の目安となる第一指針（３５）と、前記測定筒の略中間高さ部分に固定され，前記浮片に押されて上昇した検知片が所定の息の量を示す位置に留まっているか否かの目安となる第二指針（３６）と、を備えることを特徴とする咳の息量測定装置。
【請求項３】
咳によって口から排出される息の量を測定する装置であって、後端部で少なくとも口の周囲を密閉状に覆い，前端部に前記息が通過する開口部（１１）を有すると共に，下部に孔部（１２）を有するマスク体（１０）と、前記マスク体の開口部に連通され，前方水平方向に延びる筒体（２０）と、前記筒体の前端部に連結され，上方垂直方向に延び，表面に測定数値（３１ａ）を表示した測定筒（３１）の内部に垂直棒（３２）を固定し，該垂直棒に，前記息の力によって上昇移動自在な浮片（３３）を嵌装し，前記測定筒の内部の前記浮片より上位に昇降動自在に，前記浮片の上昇移動に押されて上昇し，前記測定筒との摩擦抵抗によってその上昇位置に留まると共に，前端部である摘み部（３４ａ）が前記測定筒から露出する検知片（３４）を設けた測定部材（３０）と、前記マスク体の内部に，前記孔部（１２）を通して咳を発生させるための咳発生剤（４１）を注入する発生機（４０）と、前記測定筒の下端部に固定され，前記浮片の下限位置の目安となる第一指針（３５）と、前記測定筒の略中間高さ部分に固定され，前記浮片に押されて上昇した検知片が所定の息の量を示す位置に留まっているか否かの目安となる第二指針（３６）と、を備え、前記マスク体（１０）に落下防止用の止めバンド（１４）を設けると共に、筒体（２０）に、フィルター（２３）を内蔵した清浄筒部（２２）を設けたことを特徴とする息量測定装置。
【考案の詳細な説明】
【技術分野】
【０００１】
本考案は、咳をした際に口から排出される息の量を測定する装置に関するものである。
【背景技術】
【０００２】
餅やゆで卵の黄身などの食物は、飲み込む際に喉に詰まり易く、時にはそれが原因で大きな事故に至ることさえある。こうした食物が喉に詰まった場合、咳をすることでその食物を吐き出すことができるが、咳によって排出される息の量は個人によってそれぞれ異なる。従って、息の量が多い人は食物を容易に吐き出すことができるが、その反対に息の量が少ない人は食物を吐き出すことができず、大きな事故につながってしまう。
【考案の概要】
【考案が解決しようとする課題】
【０００３】
従って、個人が咳をした際に吐き出される息の量をあらかじめ知っておくことによって、例えば、息の量が少ない人は餅やゆで卵の黄身を飲み込む際に注意を払うことができ、大きな事故を未然に防ぐことができる。
【０００４】
本考案はこうした事故を未然に防ぐために創案されたもので、あらかじめ個人が咳によって吐き出す息の量を知っておくために、当該息の量を測定する装置を提供することを課題とする。
【課題を解決するための手段】
【０００５】
図１乃至図７を参照して説明する。請求項１に記載の咳の息量測定装置１は、咳によって口から排出される息の量を測定する装置である。この装置は、後端部で少なくとも口の周囲を密閉状に覆い、前端部に前記息が通過する開口部１１を有すると共に、下部に孔部１２を有するマスク体１０を備える。また、前記マスク体１０の開口部１１に連通され、前方水平方向に延びる筒体２０を備える。
【０００６】
さらに、前記筒体２０の前端部に連結され、上方垂直方向に延び、表面に測定数値３１ａを表示した測定筒３１の内部に垂直棒３２を固定し、この垂直棒３２に、前記息の力によって上昇移動自在な浮片３３を嵌装し、前記測定筒３１の内部の前記浮片３３より上位に昇降動自在に、前記浮片３３の上昇移動に押されて上昇し、前記測定筒３１との摩擦抵抗によってその上昇位置に留まると共に、前端部である摘み部３４ａが前記測定筒３１から露出する検知片３４を設けた測定部材３０を備える。
【０００７】
またさらに、前記マスク体１０の内部に、前記孔部１２を通して咳を発生させるための咳発生剤４１を注入する発生機４０を備える。
【０００８】
請求項２に記載の咳の息量測定装置１は、咳によって口から排出される息の量を測定する装置である。この装置は、後端部で少なくとも口の周囲を密閉状に覆い、前端部に前記息が通過する開口部１１を有すると共に、下部に孔部１２を有するマスク体１０を備える。また、前記マスク体１０の開口部１１に連通され、前方水平方向に延びる筒体２０を備える。
【０００９】
さらに、前記筒体２０の前端部に連結され、上方垂直方向に延び、表面に測定数値３１ａを表示した測定筒３１の内部に垂直棒３２を固定し、この垂直棒３２に、前記息の力によって上昇移動自在な浮片３３を嵌装し、前記測定筒３１の内部の前記浮片３３より上位に昇降動自在に、前記浮片３３の上昇移動に押されて上昇し、前記測定筒３１との摩擦抵抗によってその上昇位置に留まると共に、前端部である摘み部３４ａが前記測定筒３１から露出する検知片３４を設けた測定部材３０を備える。
【００１０】
またさらに、前記マスク体１０の内部に、前記孔部１２を通して咳を発生させるための咳発生剤４１を注入する発生機４０を備える。
【００１１】
また、前記測定筒３１の下端部に固定され、前記浮片３３の下限位置の目安となる第一指針３５を備える。さらに、前記測定筒３１の略中間高さ部分に固定され、前記浮片３３に押されて上昇した検知片３４が所定の息の量を示す位置に留まっているか否かの目安となる第二指針３６を備える。
【００１２】
請求項３に記載の咳の息量測定装置１は、請求項２に記載の考案の構成に加えて、マスク体１０に落下防止用の止めバンド１４を設けると共に、筒体２０に、フィルター２３を内蔵した清浄筒部２２を設けたものである。
【考案の効果】
【００１３】
請求項１に記載の咳の息量測定装置１は、被測定者がマスク体１０を装着した状態で、発生機４０から当該マスク内に咳発生剤４１を注入し、この咳発生剤４１を吸引した被測定者が咳をすることによって口から排出される息の量を、それによって上昇移動する浮片３３によって測定することができる。
【００１４】
この測定により、被測定者の咳による息の量をあらかじめ知ることができるので、例えば、息の量が所定値より少ない場合には、餅やゆで卵の黄身など喉に詰まりやすい食物を飲み込む際に注意を払うことができる。従って、食物を飲み込む際に発生し易い事故を未然に防止することができる。
【００１５】
請求項２に記載の咳の息量測定装置１は、請求項１に記載の考案と同様に、あらかじめ咳による息の量を知ることができるので、食物を飲み込む際に発生し易い事故を未然に防止することができる。また、第一指針３５および第二指針３６を備えているので、息の量の測定をより正確に行うことができ、事故をさらに未然に防止することができる。
【００１６】
請求項３に記載の咳の息量測定装置１は、請求項２に記載の考案と同様の効果を発揮する。また、マスク体１０に落下防止用の止めバンド１４を設けたので、測定時にマスク体１０が外れるのを防止して、測定作業を迅速かつ確実に行うことができる。さらに、筒体２０に、フィルター２３を内蔵した清浄筒部２２を設けたので、咳の息に含まれる唾液などの測定に不要な不純物を除去して、測定部材３０を清潔に保つことができる。
【００１７】
なお、咳発生剤を吸引させて咳が見られない場合は、食品が気管に入っても防御反応としての咳が出現しない不顕性誤嚥を高率に検出することができる。
【図面の簡単な説明】
【００１８】
【図１】本考案に係る測定装置の実施形態を示す側面図である。
【図２】図１に示す測定装置の正面図である。
【図３】図１に示す測定装置の平面図である。
【図４】図１のＸ−Ｘ線拡大断面図である。
【図５】図１のＹ−Ｙ線拡大断面図である。
【図６】図１に示す測定装置における逆止弁の機能を示す拡大断面図である。
【図７】図１に示す測定装置における浮片と検知片の機能を示す拡大正面図である。
【考案を実施するための形態】
【００１９】
本考案に係る咳の息量測定装置１の実施形態を、図１乃至図７に示す。この測定装置１は、食物が喉に詰まるという事故を未然に防止するために、咳によって口から排出される息の量を測定する装置であり、マスク体１０、筒体２０、測定部材３０、発生機４０、第一指針３５および第二指針３６などを備える（図１参照）。
【００２０】
マスク体１０は、透明の硬質樹脂で形成しており、その開放された後端部で被測定者の口の周囲（本実施形態では口と鼻の周囲）を密閉状に覆い、前端部に息が通過する開口部１１を有すると共に、下部に孔部１２を有する。孔部１２は、マスク体１０の内面側に設けた逆止弁１２ａによって開閉自在としている。
【００２１】
なお、マスク体１０の後端部は、被測定者の口の周囲に密着して密閉状に覆うために軟質部１３で構成している。軟質部１３は、例えば、空気を密封した中空状の軟質樹脂材や、無垢状の軟質材（材質は限定しない）で形成することができる。また、このマスク体１０には、当該マスク体１０が被測定者から脱落するのを防止するために止めバンド１４を取付けている。
【００２２】
筒体２０は、透明の硬質樹脂製の円筒状であり、マスク体１０の開口部１１に連通され、前方水平方向に延出する。なお、筒体２０の前端部には、当該筒体２０の外径より小さい径のエアー孔２１を形成している。また、筒体２０の後部にはフィルター２３を内蔵した清浄筒部２２を連通状態で一体的に設けている。
【００２３】
測定部材３０は、測定筒３１、垂直棒３２、浮片３３、検知片３４、第一指針３５および第二指針３６を備える。測定筒３１は、透明の硬質樹脂製の略四角筒形状（平面四角形状）で、下端部が筒体２０の前端部に連結（連通）されて上方垂直方向に延出する。この測定筒３１の後面壁（被測定者側の壁）には測定数値３１ａを表示（印字）しており（図２参照）、また前面壁には、その中心に沿って縦スリット３１ｃを形成している。さらに、上部壁はその中心壁部３１ｂを除いて開口している（図３参照）。
【００２４】
垂直棒３２は金属製であり、測定筒３１の内部中心部に、その上端部が測定筒３１の中心壁部３１ｂに固定され、下端部が筒体２０の先端上壁に固定された状態で、取付けられている。
【００２５】
浮片３３は彩色された不透明の肉薄な樹脂製であり、その中心部を垂直棒３２に嵌装させて、息の力によって上昇移動自在としている。この浮片３３は、測定筒３１の内部にほぼ隙間なく収まるように形成した平面四角形状である（図３、図５参照）。
【００２６】
検知片３４も彩色された不透明で樹脂製の小片であり、測定筒３１の内部の浮片３３より上位に昇降動自在に取付けられている。この取付けは、その中心部を垂直棒３２に嵌装させ、その前端部である摘み部３４ａを、測定筒３１の縦スリット３１ｃから外に露出させている。この検知片３４は、浮片３３の上昇移動に押されて上昇し、測定筒３１との摩擦抵抗によってその上昇位置に留まる。
【００２７】
この摩擦抵抗は、測定筒３１の前壁内面と検知片３４の本体部分との間にスプリング３４ｂを設けることによって得ている（図４参照）。なお、摘み部３４ａを指で押し下げることによって下降させることができる。
【００２８】
発生機４０は咳発生剤４１を収納しており、そのノズル４２をマスク体１０の孔部１２に連通させている。咳発生剤４１は、被測定者に一時的に咳を発生させ、かつ被測定者に害を与えない物質であれば良く、酒石酸が挙げられる。
【００２９】
第一指針３５は、測定筒３１の下端部に固定され、浮片３３の下限位置の目安としている。また、第二指針３６は、測定筒３１の略中間高さ部分に固定され、浮片３３に押されて上昇した検知片３４が所定の息の量を示す位置に留まっているか否かの目安となるものである。なお、本実施形態では、第二指針３６の上方に第三指針３７を設けており、息の量が十分であるか否かの目安としている。
【００３０】
本実施形態に係る咳の息量測定装置１は、次のようにして使用することができる。まず、マスク体１０を被測定者の口に密閉状態で装着する。この時、測定筒３１の内部の浮片３３が、第一指針３５の位置まで下降しているか否かを確認しておく。
【００３１】
次に、この状態で、発生機４０のノズル４２をマスク体１０の孔部１２に、逆止弁１２ａを押し開けて挿入し、発生機４０を操作して咳発生剤４１をマスク体１０の内部に注入する（図６参照）。被測定者はこの咳発生剤４１に誘発されて咳を発する。なお、咳発生剤４１を注入後は（被測定者が咳を発するに先立って）、発生機４０をマスク体１０から取り外すことができる。この際、ノズル４２を孔部１２から引き抜くと、逆止弁１２ａが孔部１２を閉じる。
【００３２】
この咳による息がマスク体１０の開口部１１から筒体２０を通り、測定筒３１に達し、浮片３３を上昇移動させる（図７（ａ）、（ｂ）参照）。このとき、息の一部が筒体２０のエアー孔２１から抜け出るので、所望量の息が浮片３３に作用する。
【００３３】
なお、筒体２０にはフィルター２３を内蔵した清浄筒部２２が設けられており、咳の息に含まれる不純物（唾液など）はこのフィルター２３によって除去され、息（空気）のみが測定筒３１に送られる。従って、測定部材３０は清潔に維持される。
【００３４】
咳の息によって上昇移動した浮片３３は、息の量によって決定される位置まで達すると共に、検知片３４を押し上げた後、自重によって下降限位置まで下降移動する。一方、浮片３３によって押し上げられた検知片３４は、測定筒３１（および垂直棒３２）との摩擦抵抗によってその位置に留まり、被測定者の咳の息量を示す（図７（ｃ）参照）。
【００３５】
なお、この際、測定筒は透明であり、浮片と検知片は彩色された不透明であるため、測定筒の内部を移動および停止する浮片および検知片を明確に視認することができ、よって、より正確な測定を行うことができる。
【００３６】
この検知片３４の停止位置が、第二指針３６より上位であれば、被測定者の咳の息量が所定量以上であると認識することができ、さらに第三指針３７より上位であれば所定量を大きく超えていると認識することができる。
【００３７】
逆に、検知片３４の停止位置が第二指針３６よりも下位であると、被測定者の咳の息量が所定量以下であり、食物を喉に詰まらせた場合に、その食物を咳で吐き出すことが困難であると認識できる。これにより、当該被測定者は、餅やゆで卵の黄身などの喉に詰まり易い食物を飲み込む際に注意を払うことができるので、事故を未然に防止することができる。
【産業上の利用可能性】
【００３８】
酒石酸咳反射誘発テストに数値結果を出す手段は、このテストにあと数種類の飲み込みテストを組み合わせることで、嚥下の専門職のいない施設や病院でも簡便に飲み込み能力を評価することができる。
【符号の説明】
【００３９】
１          咳の息量測定装置
１０        マスク体
１１        開口部
１２        孔部
１２ａ      逆止弁
１３        軟質部
１４        止めバンド
２０        筒体
２１        エアー孔
２２        清浄筒部
２３        フィルター
３０        測定部材
３１        測定筒
３１ａ      測定数値
３１ｂ      中心壁部
３１ｃ      縦スリット
３２        垂直棒
３３        浮片
３４        検知片
３４ａ      摘み部
３４ｂ      スプリング
３５        第一指針
３６        第二指針
３７        第三指針
４０        発生機
４１        咳発生剤
４２        ノズル
【図１】
0003158906.tif 000003
【図２】
0003158906.tif 000004
【図３】
0003158906.tif 000005
【図４】
0003158906.tif 000006
【図５】
0003158906.tif 000007
【図６】
0003158906.tif 000008
【図７】
0003158906.tif 000009